(57)【要約】【課題】  簡易な構造で密閉させることなく、フロントガラスとレンズの前面ガラスの曇りを防止可能な雲台装置を提供すること。【解決手段】  フロントガラスとレンズの前面ガラスの間の空間を包囲部材で囲い、フロントガラス、レンズ、包囲部材の少なくとも１つに熱源を設け、フロントガラスとレンズの前面ガラスを同時に温めることを特徴とする。【選択図】  図５
2020134795.tif 000002
【特許請求の範囲】
【請求項１】
カメラとレンズが収納され、前記レンズの対向した面にフロントガラスを有する雲台装置のハウジングにおいて、
前記フロントガラスと前記レンズの前面ガラスの間の空間を囲う包囲部材を有し、
前記フロントガラス、前記レンズ、前記包囲部材の少なくとも１つに発熱部材を有することを特徴とする雲台装置。
【請求項２】
前記包囲部材は、前記レンズの光軸方向に伸縮自在であることを特徴とする請求項１に記載の雲台装置。
【請求項３】
前記包囲部材は、前記フロントガラス及び前記レンズの少なくともどちらか一方に接触していることを特徴とする請求項１又は請求項２に記載の雲台装置。
【請求項４】
前記ハウジング内の温度を検出する検出部を有し、前記検出部からの検出値をもとに前記発熱部材を制御する制御部を有することを特徴とする請求項１乃至請求項３の何れか一項に記載の雲台装置。
【発明の詳細な説明】
【技術分野】
【０００１】
本発明は、屋内外に設置される雲台装置に関し、特にフロントガラスやレンズの曇りを防止する機構に関する。
【背景技術】
【０００２】
従来、雲台装置のハウジングにはカメラやレンズが収納されている。また、雲台装置は屋外に設置されることがあるため、その外部環境の影響でハウジング内外の温度差が大きくなると、ハウジングのフロントガラスや収納されているレンズの前面ガラスに曇りが発生し、撮影によくない影響を及ぼすという問題がある。例えば、ハウジング内の温度が低く、レンズが冷えた状態から外気温が急速に上昇した場合、ハウジング内の温度もそれに伴い上昇する。しかし、フロントガラスやレンズの前面ガラスはハウジング内の温度よりも熱伝導率が低いため、温度上昇がハウジング内の温度上昇に追いつかず、ハウジング内の温度との間に差異が生じることにより曇りが発生する。
【０００３】
特許文献１には、フロントガラスとレンズの前面ガラスの空間を密閉し、フロントガラスに接する水蒸気量を減少させることで、フロントガラスの曇りを防止する構造が提案されている。
【先行技術文献】
【特許文献】
【０００４】
【特許文献１】特開２００５−１２８３７５号公報
【発明の概要】
【発明が解決しようとする課題】
【０００５】
しかし、特許文献１では、フロントガラスとレンズの前面ガラスの空間を密閉する必要があるため、構造が複雑となるとともに組立作業性もよくない。また、密閉するためにシール部材を使用しているため、シール部材が経年劣化した場合、密閉状態を保つことが困難となる。そして、レンズ交換式の雲台装置を想定する場合、密閉部材をレンズごとに用意する必要があるため、部品点数が多くなるとともにコストも高くなる。
【０００６】
そこで、本発明の目的は、簡易な構造で密閉させることなく、フロントガラスとレンズの前面ガラスの曇りを防止可能な雲台装置を提供することにある。
【課題を解決するための手段】
【０００７】
上記の目的を達成するために、本発明に係る雲台装置は、
カメラとレンズが収納され、前記レンズの対向した面にフロントガラスを有する雲台装置のハウジングにおいて、前記フロントガラスと前記レンズの前面ガラスの間の空間を囲う包囲部材を有し、前記フロントガラス、前記レンズ、前記包囲部材の少なくとも１つに発熱部材を有することを特徴とする。
【発明の効果】
【０００８】
本発明に係る雲台装置によれば、簡易な構造でフロントガラスとレンズの間を密閉することなく、フロントガラスとレンズの前面ガラスの曇りを防止することが可能となる。
【図面の簡単な説明】
【０００９】
【図１】本実施例における雲台装置の外観図
【図２】雲台装置をフロントガラス側から見た図
【図３】本実施例における雲台装置の断面図
【図４】図３における包囲部材の拡大図
【図５】本実施例におけるフロントガラスが傾斜している雲台装置の断面図
【図６】図５における包囲部材の拡大図
【発明を実施するための形態】
【００１０】
以下、本発明を実施するための形態について、図面を参照しながら詳細に説明する。
【００１１】
図１は、本実施例における雲台装置５０の外観図である。図２は、図１の雲台装置５０をフロントガラス７側から見た図である。図３は、本実施例における雲台装置５０の断面図である。図４は、図３における雲台装置５０の包囲部材９を拡大した拡大図である。図５は、本実施例におけるフロントガラス７が傾斜している雲台装置５１の断面図である。図６は、図５における雲台装置５１の包囲部材１０を拡大した拡大図である。
【００１２】
図１を参照して、雲台装置について説明する。
【００１３】
本実施例の雲台装置５０は、ハウジング部１、パンチルト駆動部２、台座部３を備える。ハウジング部１はパンチルト駆動部２に対して回動自在に連結されており、パンチルト駆動部２は台座部３に対して回動自在に連結されている。これらにより、パンチルト撮影が可能となる。
【００１４】
図２、３、４を参照して、本実施例の雲台装置における曇り防止機構について説明する。
【００１５】
ハウジング部１には、レンズ４、カメラ５が収納され、カメラ５はカメラ台６を介してハウジング部１に固定される。ハウジング部１のレンズ４が対向する面には、フロントガラス７が配置される。フロントガラス７には電極８が設けられ、電極８に電流が流れることによりフロントガラス７が発熱する。
【００１６】
ハウジング１内には、不図示のハウジング１内の温度を検出する温度検出部と、温度検出部の検出信号をもとに電極８の電流を制御する制御部が設けられる。これらにより、ある温度以下になると電極８に電流を流してフロントガラス７を発熱させ、ある温度以上になると電流を流すのをやめ発熱を停止することが可能となる。レンズ４には包囲部材９が設けられ、包囲部材９は接続部９ａと包囲部９ｂに分けられる。接続部９ａは、レンズ４のフード取付け部に固定される。包囲部９ｂは、接続部９ａとフロントガラス７に接触してレンズ４とフロントガラス７の間の空間を囲うように配置される。ここで包囲部９ｂは、接続部９ａやフロントガラス７に固定するなどしてフロントガラス７とレンズ４と間の空間を密閉する必要はなく、それぞれに接触していればよい。このため、構造が複雑にならず組立性も容易となる。ここで、電極８に電流が流れフロントガラス７が発熱すると、包囲部材９で囲われたフロントガラス７とレンズ４との間の空間が温められる。そうすることでフロントガラス７とレンズ４の前面ガラスが同時に温まることで外気や周囲温度との温度差が小さくなり、曇りを防止することが可能となる。従って、フロントガラス７に設けられた電極８による発熱をレンズ４の前面ガラスに伝えるので、効率的にフロントガラス７とレンズ４を温めることができ、熱源を複数設ける必要がないため、部品点数の削減や低コスト化につながる。
【００１７】
本実施例では、フロントガラス７に発熱部（電極８）を設けたが、フロントガラス７とレンズ４との間の空間を温められれば良いので、包囲部材９やレンズ４に設けても良い。
【００１８】
図５、６を参照して、フロントガラス７が傾斜している雲台装置における本実施例について説明する。
【００１９】
部品構成は前述で示した構成と変わりはないが、包囲部１０ｂを蛇腹のようなレンズ４の光軸方向に伸縮自在なものを使用する。これにより、フロントガラス７が傾斜している場合でも、包囲部１０ｂが傾斜に沿ってフロントガラス７に接触し、フロントガラス７とレンズ４の間の空間を囲うことが可能となる。また、包囲部材１０の光軸方向がフレキシブルになるため、レンズ交換式の雲台装置のように、レンズによってフロントガラス７とレンズ４との距離が変化しても同じ部品を用いて対応することができる。
【００２０】
以上、本発明に好ましい実施形態について説明したが、本発明はこれらの実施形態に限定されず、その要旨の範囲内で種々の変形および変更が可能である。
【符号の説明】
【００２１】
１  ハウジング部、２  パンチルト駆動部、３  台座部、４  レンズ、
５  カメラ、７  フロントガラス、８  電極、９，１０  包囲部材、
９ａ，１０ａ  包囲部、９ｂ，１０ｂ  接続部、５０，５１  雲台装置
【図１】
2020134795.tif 000003
【図２】
2020134795.tif 000004
【図３】
2020134795.tif 000005
【図４】
2020134795.tif 000006
【図５】
2020134795.tif 000007
【図６】
2020134795.tif 000008